(57)【要約】【課題】  障子を構成する枠にあって剛性が低下されても、障子を構成する枠が複層ガラスの周縁部から外れないようにする。【解決手段】  複数枚のガラス板２１，２１をスペーサ２２の配設下に空気層Ａを設けて積層すると共に周縁部２３にグレチャン３を設けてなる複層ガラス２において、グレチャン３が周縁部２３に位置決めされる帯状に形成の本体部３１を有し、この本体部３１が周縁部２３に圧接されて固設され、あるいは、グレチャン３が複数枚のガラス板２１，２１の平面方向を横切る横方向の断面形状をアングル状にして一辺部を本体部３１にすると共にこの本体部３１に連続する他辺部をストッパ部３２にし、本体部３１が周縁部２３に圧接されて固設され、ストッパ部３２が周縁部２３の周端に当接されてなる。【選択図】  図５
2013096105.tif 000002
【特許請求の範囲】
【請求項１】
複数枚のガラス板をスペーサの配設下に空気層を設けて積層すると共に周縁部にグレージングチャンネルを設けてなる複層ガラスにおいて、
上記グレージングチャンネルが上記周縁部に位置決めされる帯状に形成の本体部を有し、
この本体部が上記周縁部に圧接されて固設されてなることを特徴とする複層ガラス。
【請求項２】
上記グレージングチャンネルが上記複数枚のガラス板の平面方向を横切る横方向の断面形状をアングル状にして一辺部を上記本体部にすると共にこの本体部に連続する他辺部をストッパ部にし、
上記本体部が上記周縁部に圧接されて固設され、
上記ストッパ部が上記周縁部の周端に当接されてなる請求項１に記載の複層ガラス。
【請求項３】
複数枚のガラス板をスペーサの配設下に空気層を設けて積層すると共に周縁部にグレージングチャンネルを設けてなる複層ガラスと、この複層ガラスを上記グレージングチャンネル越しに保持する枠とを有してなる障子において、
上記グレージングチャンネルが上記周縁部に位置決めされる帯状に形成の本体部を有し、
この本体部が上記周縁部に圧接されて固設されてなることを特徴とする障子。
【請求項４】
上記グレージングチャンネルが上記複数枚のガラス板の平面方向を横切る横方向の断面形状をアングル状にして一辺部を上記本体部にすると共にこの本体部に連続する他辺部をストッパ部にし、
上記本体部が上記周縁部に圧接されて固設され、
上記ストッパ部が上記周縁部の周端に当接されてなることを特徴とする請求項３に記載の障子。
【発明の詳細な説明】
【技術分野】
【０００１】
この発明は、複層ガラスおよび複層ガラスを利用した障子に関する。
【背景技術】
【０００２】
住宅の開口に設けられる障子は、枠と、この枠に保持されるガラス板とからなるが、近年では、ガラス板に関して、断熱効果の観点から複数枚のガラス板の間に空気層を有する複層ガラスが汎用される傾向にある。
【０００３】
そして、複層ガラスとしては、種々の提案があるが、この複層ガラスは、従来から、グレージングチャンネル（以下、グレチャンと略称する）の利用下に枠に組付けられる（特許文献１参照）。
【０００４】
すなわち、複層ガラスの周縁部にグレチャンを保持させた状態で枠に嵌め込むようにして組付ける。
【０００５】
その結果、複層ガラスは、グレチャンを介して枠に取り付けられた状態で、障子を形成する。
【先行技術文献】
【特許文献】
【０００６】
【特許文献１】特開平９−１３８１３号公報
【発明の概要】
【発明が解決しようとする課題】
【０００７】
上記したように、複層ガラスをグレチャンの利用下に枠に組付けることで、障子を形成し得るが、障子の態様によっては、利用に際して些かの不具合があると指摘される可能性がある。
【０００８】
すなわち、近年の障子にあっては、枠の構成が簡素化されることがあるが、このとき、枠の剛性が低下されると、枠が歪むなどで、枠が複層ガラスの周縁部からグレチャンごと外れることが危惧される。
【０００９】
つまり、障子にあっては、複層ガラスの周縁部がグレチャンを保持した状態で枠に嵌め込まれているが、枠が歪むなどすると、枠とグレチャンとの間の摩擦力が大きいことから、枠がグレチャンごと複層ガラスの周縁部から外れることが危惧される。
【００１０】
そこで、障子において、枠の構成の簡素化などで、枠の剛性が低下される傾向になっても、枠がグレチャンごと複層ガラスの周縁部から外れることを回避できる提案の開示が望まれるが、これまでにその開示がなかった。
【００１１】
この発明は、上記した現状を鑑みて創案されたものであって、その目的とするところは、障子を構成する枠における剛性が低下されても、これに起因する枠の外れを回避し得る複層ガラスを提供することであり、また、この複層ガラスを利用した障子を提供することである。
【課題を解決するための手段】
【００１２】
上記した目的を達成するために、この発明による複層ガラスの構成を、複数枚のガラス板をスペーサの配設下に空気層を設けて積層すると共に周縁部にグレージングチャンネルを設けてなる複層ガラスにおいて、上記グレージングチャンネルが上記周縁部に位置決めされる帯状に形成の本体部を有し、この本体部が上記周縁部に圧接されて固設されてなるとする。
【００１３】
そして、この発明による複層ガラスの構成を、より好ましくは、上記グレージングチャンネルが上記複数枚のガラス板の平面方向を横切る横方向の断面形状をアングル状にして一辺部を上記本体部にすると共にこの本体部に連続する他辺部をストッパ部にし、上記本体部が上記周縁部に圧接されて固設され、上記ストッパ部が上記周縁部の周端に当接されてなるとする。
【００１４】
また、この発明による障子の構成を、複数枚のガラス板をスペーサの配設下に空気層を設けて積層すると共に周縁部にグレージングチャンネルを設けてなる複層ガラスと、この複層ガラスを上記グレージングチャンネル越しに保持する枠とを有してなる障子において、上記グレージングチャンネルが上記周縁部に位置決めされる帯状に形成の本体部を有し、この本体部が上記周縁部に圧接されて固設されてなるとする。
【００１５】
そしてまた、この発明による障子の構成を、より好ましくは、上記グレージングチャンネルが上記複数枚のガラス板の平面方向を横切る横方向の断面形状をアングル状にして一辺部を上記本体部にすると共にこの本体部に連続する他辺部をストッパ部にし、上記本体部が上記周縁部に圧接されて固設され、上記ストッパ部が上記周縁部の周端に当接されてなるとする。
【００１６】
それゆえ、この発明の複層ガラスにあっては、グレージングチャンネル（以下、グレチャンと略称する）が帯状に形成される本体部を周縁部に圧接されて固設されてなるから、グレチャンが複層ガラスの周縁部に一体にされた状態に、すなわち、一体状態に保持される。
【００１７】
そして、この発明の複層ガラスにあって、グレチャンは、複層ガラスの周縁部に一体状態に設けられるから、複層ガラスの周縁部を枠に嵌め込む際にグレチャンの移動を危惧しなくて済み、周縁部にグレチャンを有する複層ガラスの枠への組付け作業を容易にする。
【００１８】
そしてまた、周縁部に一体状態に設けられたグレチャンを有する複層ガラスが枠に組付けられる障子にあっては、グレチャンと枠の間に大きい摩擦力があるので、複層ガラスに一体状態に設けられたグレチャンが枠に強固に連結される状態になり、枠がグレチャンごと複層ガラスの周縁部から外れなくなる。
【００１９】
したがって、障子において、構成の簡素化などで枠における剛性が低下される傾向になっても、枠がグレチャンを介して複層ガラスの周縁部に一体状態に連結される態勢になるから、枠の剛性が複層ガラスによって補われて高くなる。
【００２０】
そして、グレチャンが複数枚のガラス板の平面方向を横切る横方向の断面形状をアングル状にして一辺部を本体部にすると共にこの本体部に直角に連続する他辺部をストッパ部にし、本体部が周縁部に圧接されて固設され、ストッパ部が周縁部の周端に当接されてなる場合には、グレチャンの本体部が複層ガラスの周縁部に保持されるのはもちろんのこと、このとき、ストッパ部が周縁部の周端に当接されてストッパとして機能するから、グレチャンを設けてなる複層ガラスの周縁部を枠に嵌め込む際に、グレチャンが複層ガラスの周端に係止される状態になり、グレチャンの移動阻止に完全を期することが可能になり、グレチャンを有する複層ガラスの枠への組付け作業を容易にする。
【００２１】
また、グレチャンが帯状に形成される本体部のみを有する場合には、断面形状をチャンネル状にして本体部およびこの本体部に連続するストッパ部を有する場合に較して、成形性を良くする。
【００２２】
さらに、グレチャンは、複層ガラスのいわゆる表裏となる周縁部にそれぞれ独立に設けられるから、断面が角Ｕ字状に形成される従来のグレチャンに比較して、複層ガラスの周縁部への圧着に際して、複層ガラスとグレチャンとの間における製品誤差による圧着不全を回避できる。
【発明の効果】
【００２３】
その結果、この発明にあっては、障子を構成する枠における剛性が低下されても、これに起因する複層ガラスの周縁部からの枠の外れを回避し得る。
【図面の簡単な説明】
【００２４】
【図１】この発明による障子を示す概略斜視図である。
【図２】図１中のＸ−Ｘ線位置から見た障子を一部破断して示す概略横断面図である。
【図３】図１に示す障子を一部破断して示す概略部分拡大縦断面図である。
【図４】グレチャンを設ける前の複層ガラスを一部破断して示す部分斜視図である。
【図５】グレチャンが周縁部に設けられた複層ガラスを一部破断して示す部分拡大縦断面図である。
【図６】この発明の一の実施形態によるグレチャンを示す縦断面図である。
【図７】図６に示すグレチャンを折り曲げる前の状態を示す部分正面図である。
【図８】この発明の他の実施形態によるグレチャンを示す縦断面図である。
【発明を実施するための形態】
【００２５】
以下に、図示した実施形態に基づいて、この発明を説明するが、図１に示すこの発明による障子Ｗは、図２に示すように、住宅における開口（符示せず）に設けられて、図示するところでは、図１中および図２中に示すように、図中に符号Ｉで示す屋内を図中に符号Ｏで示す屋外から遮蔽する窓を形成する。
【００２６】
そして、この障子Ｗは、枠１と複層ガラス２との組立体からなり、図１中および図２中に一点鎖線矢印ａで示すように、枠１がいわゆる吊元側を枢着側にして回転して言わば複層ガラス２を回転させ、住宅における躯体Ｂに額縁Ｆなどで形成される開口を開閉する。
【００２７】
ちなみに、住宅における躯体Ｂの構成については、任意であり、また、額縁Ｆの構成についても任意とされて良いが、この発明において、後述する枠１がアルミ押出型材などからなることからすれば、額縁Ｆについてもアルミ押出型材などからなるのが好ましい。
【００２８】
なお、額縁Ｆは、障子Ｗにおける枠１の当接を許容する戸当り（符示せず）を有すると共に、枠１との間における衝撃の緩和目的および防水目的のシール（図示せず）を有する。
【００２９】
枠１は、アルミ押出型材あるいは合成樹脂材などからなり、図1に示すところでは、開口を形成する額縁Ｆ（図２参照）における上方側部（図示せず）に副うように位置決めされる上框１ａと、額縁Ｆにおける下方側部に沿うように位置決めされる下框１ｂ（図２参照）とを有してなる。
【００３０】
そして、この枠１は、上框１ａおよび下框１ｂを左右で連結して額縁Ｆにおける縦部（符示せず）に沿うように位置決めされる縦框、すなわち、障子Ｗの回転を可能にするために額縁Ｆに枢着される枢着側部たる吊元框１ｃと、反対側の可動側部たる戸先框１ｄとを有してなる。
【００３１】
そしてまた、この枠１は、図示するところでは、吊元框１ｃを回転中心にするようにして戸先框１ｄが図中に一点鎖線矢印ａで示すように旋回されるもので、たとえば、戸先框１ｄに設けたハンドル１ｅ（図１参照）を押して戸先框１ｄを屋外Ｏ側に押し出すようにすることで、また、ハンドル１ｅを引いて戸先框１ｄを屋内Ｉ側に引き寄せるようにすることで、枠1が縦軸回転して開口を開閉する。
【００３２】
なお、障子Ｗを形成する枠１としては、図示する態様以外のものが選択されて良く、凡そ、ハンドル１ｅが設けられるなどして、いわゆる開閉作動するものであれば良い。
【００３３】
複層ガラス２は、図３に示すように、複数枚、すなわち、図示するところでは、二枚のガラス板２１，２１をスペーサ２２の配設下に空気層Ａを設けて積層してなる。
【００３４】
このように、複層ガラス２は、複数枚のガラス板２１，２１をスペーサ２２の配設下に空気層Ａを設けて積層してなるから、空気層Ａが有する断熱作用で、断熱機能を発揮する。
【００３５】
そして、ガラス板２１については、材質や板厚寸法などについて公知のものが利用されて良く、また、熱線入りとされて結露防止構造とされたり、空気層Ａに対向する面に特殊な金属膜がコーティングされて遮熱性が高められていたりしていても良い。
【００３６】
ちなみに、複層ガラス２としては、ガラス板２１が三枚とされるものもあるが、複層ガラス２である限りには、ガラス板２１の枚数の多少は、この発明の実施を妨げない。
【００３７】
スペーサ２２は、二枚のガラス板２１，２１の間に所定の間隔の空気層Ａを出現させる限りには、任意に構成されて良いが、好ましくは、空気層Ａにある気体に起因する結露現象の発現を阻止し得る構成とされるのが良く、したがって、図示しないが、たとえば、内部に乾燥剤を有しており、この乾燥剤で空気層Ａ内の湿気を吸収可能にしても良い。
【００３８】
そして、スペーサ２２は、乾燥剤を有するとき、乾燥剤の交換を可能にするよう形成されてなるとしても良い。
【００３９】
空気層Ａは、そこにある気体の断熱作用で複層ガラス２における断熱機能を保障するもので、断熱作用に完全性を期待する上からは、外部と連通しない密封空間とされるのが良い。
【００４０】
また、この空気層Ａは、そこにある気体に起因する結露を防止するために、吸湿紙や吸湿布などの吸湿材を収容させてなるとしても良い。
【００４１】
一方、この発明における複層ガラス２にあっては、グレチャン３が周縁部２３（図４参照）に一体にされた状態に、すなわち、一体状態に設けられてなる（図３および図５参照）。
【００４２】
ちなみに、ここに言う周縁部２３は、図４に示すように、ガラス板２１の平面を見るとき、図示する下辺および右辺の二辺と、図示しない上辺および左辺の二辺、すなわち、合計四辺と、この四辺の近隣部とを指すが、複層ガラス板２の周端２ａも含むとしている。
【００４３】
なお、図４に示すところにあって、複層ガラス板２の周端２ａは、板ガラス２１，２１の周端２１ａ，２１ａと、スペーサ２２の周端２２ａとからなる。
【００４４】
ところで、この発明におけるグレチャン３についてであるが、従前のグレチャンにあっては、基本的には、複層ガラス２の周縁部２３にあらかじめ設けられてなることはなく、複層ガラス２の周縁部２３を枠１に嵌め込む際に、複層ガラス２の周縁部２３に取り付けられるとしている。
【００４５】
たとえば、前記した特許文献１に開示の提案にあっては、複層ガラス（１０）の周縁部に粘着材（１ｂ）で粘着される脱落防止材（１）におけるテープ（１ａ）が発揮する摩擦力でグレチャン（１１）が複層ガラス（１０）の周縁部に保持されるとするが、この発明のように、グレチャン３が複層ガラス２の周縁部２３に一体にされた状態に、すなわち、一体状態に設けられてなるとするものではない。
【００４６】
以上のように、この発明にあっては、グレチャン３が複層ガラス２の周縁部２３に一体状態に設けられてなるとするが、具体的には、以下のようになる。
【００４７】
ちなみに、グレチャン３は、ゴム材あるいは合成樹脂材からなり、ガラス板２１，２１と枠１との間におけるガタ発生の防止のために、また、水密や気密などの密着のために、たとえば、ガラス２１の板厚に対してグレチャン３のいわゆる適応肉厚が決められている。
【００４８】
戻って、図５は、複層ガラス２の周縁部２３にこの発明の一の実施形態によるグレチャン３が設けられている状態を示すが、図６に示すように、複層ガラス２の周縁部２３に設けられる前のグレチャン３は、複層ガラス２の平面方向、すなわち、図６中で上下方向となる二枚のガラス板２１，２１の平面方向を横切る横方向、すなわち、図６中で左右方向となる断面形状をアングル状に形成されてなる。
【００４９】
そして、このグレチャン３にあっては、図６中で縦辺部となる一辺部たる長辺部を本体部３１にすると共に、この本体部３１に直角に折れ曲がって連続する図６中で横辺部となる他辺部たる短辺部をストッパ部３２にしてなる。
【００５０】
そしてまた、このグレチャン３にあっては、本体部３１が複層ガラス２における周縁部２３の一方側表面２３ａ（図４および図５参照）および他方側表面２３ｂ（図５参照）の両面に圧接されて固設され、ストッパ部３２が複層ガラス２における周縁部２３の周端２ａ（図４参照）に当接されてなるとする。
【００５１】
このとき、このグレチャン３にあって、本体部３１およびストッパ部３２は、硬質部とされて、自己支持性を有することはもちろん外力で簡単に変形しないとされるので、本体部３１とストッパ部３２との間における変形が招来されず、特に、ストッパ部３２がストッパ部として機能することになる。
【００５２】
一方、このグレチャン３にあっては、本体部３１の上端部を膨大部にしてシール部３３に設定すると共に、このシール部３３の尖端をリップ３４に設定して、このリップ３４のガラス板２１の表面への密着で、ガラス板２１とグレチャン３との間に、たとえば、雨水が浸入することを阻止する。
【００５３】
そして、このグレチャン３にあっては、本体部３１とシール部３３との境界部部分に切り込み溝３５を有し、この切り込み溝３５に枠１におけるフランジ状の嵌合部１ｆが嵌合されるとき、このグレチャン３の枠１への連結が実現されるとしている。
【００５４】
このとき、このグレチャン３にあって、シール部３３および切り込み溝３５が形成される境界部は、軟質部とされて、シール部３３によるシール機能の発揮を可能にすると共に切り込み溝３５に対する枠１におけるフランジ状の嵌合部１ｆの嵌合を許容する。
【００５５】
また、シール部３３における尖端３４は、下方の本体部３１におけるガラス板２１に対向する接着面３１ａよりガラス板２１側に突出すように設定されており、ガラス板２１に当接するときシール部３３が具有する弾性でガラス板２１に密着し得るように配慮されている。
【００５６】
ちなみに、グレチャン３は、押し出し成型で形成され、その際、硬質部たる本体部３１およびストッパ部３２と、軟質部たるシール部３３および境界部（切り込み溝３５）とが同時成型されるのを基本とするが、この発明の具現化にあっては、グレチャン３の製法の違いがこの発明の実施を妨げるものではない。
【００５７】
つまり、グレチャン３にあって、硬質部たる本体部３１を有する限りには、この本体部３１に対して軟質部とされるシール部３３が切り込み溝３５を有しながら別体に形成されて、爾後に本体部３１に対してシール部３３が連結されるとしても良い。
【００５８】
以上のように形成されたこの発明によるグレチャン３は、これが複層ガラス２の周縁部２３に設けられるのについては、複層ガラス２の周縁部２３に圧接されて固設されてなるとする。
【００５９】
すなわち、この発明にあって、グレチャン３は、複層ガラス２の周縁部２３に沿う状態に設けられるだけではなく、また、前記した特許文献１に開示の提案のように、複層ガラス２に粘着するテープにおける摩擦力に依存して複層ガラス２に保持されるものでもない。
【００６０】
そして、この発明にあって、グレチャン３は、適宜の機械工具類の利用などでグレチャン３における本体部３１を複層ガラス２の周縁部２３に圧接させて固設されてなるとする。
【００６１】
このとき、グレチャン３は、ホットメルトなどの適宜接着材４の利用下にガラス板２１に圧接されて固設されるとし、この接着材４は、本体部３１の接着面３１ａあるいは複層ガラス２における周縁部２３に塗布され、固化したときに、ガラス板２１とグレチャン３との間のせん断力に対抗してガラス板２１とグレチャン３との間に異相を発生させないとしている。
【００６２】
つまり、この発明にあって、グレチャン３は、複層ガラス２の周縁部２３に圧接されて固設されてなるものであり、このとき、接着材４を利用するとしても、接着材４自体が外力で潰れたり伸びたりする変形をしないとする。
【００６３】
それゆえ、接着材４としては、任意のものが選択されて良く、たとえば、アロンアルファ（登録商標）を選択するときには、前記したホットメルトと同様に、入手し易い利点がある。
【００６４】
また、この発明が意図するところは、グレチャン３を複層ガラス２の周縁部２３に圧接させて固設するところにあることからすると、接着材４を利用しないでグレチャン３を複層ガラス２の周縁部２３に圧接させて固設する手法が選択されても良い。
【００６５】
そして、グレチャン３が複層ガラス２の周縁部２３における一方側表面２３ａおよび他方側表面２３ｂの両面に設けられる場合には、対向するストッパ部３２，３２間には隙間Ｓが出現する（図５参照）。
【００６６】
以上のように形成されたグレチャン３にあっては、これが複層ガラス２の周縁部２３に圧接されて固設されるから、この限りにおいて、グレチャン３が複層ガラス２の周縁部２３に一体にされた状態に、すなわち、一体状態に保持される。
【００６７】
そして、この発明にあって、グレチャン３は、複層ガラス２の周縁部２３に一体状態に設けられるから、複層ガラス２の周縁部２３を枠１に嵌め込む際にグレチャン３の移動を危惧しなくて済み、グレチャン３を設けてなる複層ガラス２の枠１への組付け作業を容易にする。
【００６８】
このとき、図６に示すグレチャン３にあっては、本体部３１に連続して直角に折れ曲がるストッパ部３２が複層ガラス２の周縁部２３における周端２ａに当接されて係止されるから、本体部３１、つまり、グレチャン３を枠１内に押し込むようにして嵌め込む際に、グレチャン３が所定位置から移動する不具合の発生を確実に阻止し得ることになる。
【００６９】
のみならず、この図６に示すグレチャン３にあっては、図７に示すように、これを切り欠き、図７中に一点鎖線矢印ｂで示すように、折り曲げていわゆるコーナー部３ａを形成することで、図４にあって、複層ガラス２における角部２ｂを、図示するところでは、右辺側および下辺側のいわゆる両側から覆うようにすることが可能になる。
【００７０】
この点に関して、従前のグレチャンは、この発明で言う横断面に相当する横断面の形状を角Ｕ字状にするから、上記したコーナー部３ａを有するように切り欠き折り曲げ形成するのが容易でない不具合がある。
【００７１】
そして、従前のグレチャンにあっては、横断面の形状を角Ｕ字状にしてなるから、これを複層ガラス２の周縁部２３に、特に、立設される複層ガラス２の下端部たる周縁部２３に設ける場合には、グレチャン３の内側に溜まることがある浸入水をグレチャン３の外に排水できない不具合がある。
【００７２】
それに対して、この発明のグレチャン３にあっては、複層ガラス２の周縁部２３に設けられるとき、対向するストッパ部３２，３２間に隙間Ｓを有するから、この隙間を排水路として利用することが可能になり、グレチャン３のいわゆる内側に浸入水を溜まらせないようにすることが可能になる。
【００７３】
以上のように、この発明にあっては、グレチャン３における本体部３１が複層ガラス２における周縁部２３に圧接されて固設されてなるが、このことからすると、グレチャン３については、図８に示す他の実施形態のように形成されてなるとしても良い。
【００７４】
すなわち、図８に示す実施形態のグレチャン３は、前記した図６に示すグレチャン３に比較して、本体部３１は有するが、ストッパ部３２を有しない、言うなれば、帯状に形成されてなるとする。
【００７５】
この図８に示すグレチャン３は、本体部３１を有する帯状に形成されてなるとしても、本体部３１に連続する切り込み溝３５を有し、この切り込み溝３５に連続するシール部３３を有し、さらに、シール部３３にはリップ３４を有する点で、図６に示すグレチャン３と基本形状を同じにする。
【００７６】
そして、この図８に示すグレチャン３にあっても、本体部２１が接着面３１ａを有し、この接着面３１ａへの接着材４の塗布を許容している。
【００７７】
それゆえ、この図８に示すグレチャン３にあっても、図６に示すグレチャン３と同様に複層ガラス２の周縁部２３に圧接されて固設されることで、複層ガラス２の周縁部に一体に保持される。
【００７８】
そして、この図８に示すグレチャン３にあっては、図６に示すグレチャン３に比較して、押し出し成型で形成する際の素材量を少なくできると共に押し出し成型作業を容易にし、製品コストの低下を可能にする利点がある。
【００７９】
なお、この発明によるグレチャン３、すなわち、図６および図８のいずれに示すグレチャン３にあっても、複層ガラス２の周縁部２３における一方側表面２３ａおよび他方側表面２３ｂの両面に設けられるのに際して一の断面形状に形成されることで足りる利点がある。
【００８０】
そして、複層ガラス２の周縁部２３にグレチャン３を設けるのにあって、たとえば、周縁部２３における一方側表面２３ａに図６に示すグレチャン３を設け、周縁部２３における他方側表面２３ｂに図８に示すグレチャン３を設けるとしても良く、この場合には、複層ガラス２における表裏を設定できる、つまり、複層ガラス２が屋外Ｏ側となるガラス板２１に遮熱用として金属膜を有してなるような場合に、枠１に組付ける前の複層ガラス２における表裏を設定できる点で有利となる。
【００８１】
以上のようにこの発明によるグレチャン３にあっては、複層ガラス２の一方側表面２３ａおよび他方側表面２３ｂの両面となるいわゆる表裏の周縁部２３ａにそれぞれ独立に圧着されるから、断面が角Ｕ字状に形成される従来のグレチャンに比較して、複層ガラス２の周縁部２３への圧着に際して、複層ガラス２とグレチャン３との間における製品誤差による圧着不全を回避できる利点がある。
【符号の説明】
【００８２】
１  枠
１ａ  上框
１ｂ  下框
１ｃ  吊元框
１ｄ  戸先框
１ｅ  ハンドル
１ｆ  嵌合部
２  複層ガラス
２ａ，２１ａ，２２ａ  周端
２ｂ  角部
３  グレチャン
３ａ  コーナー部
２１  ガラス板
２２  スペーサ
２３  周縁部
２３ａ  一方側表面
２３ｂ  他方側表面
３１  本体部
３１ａ  接着面
３２  ストッパ部
３３  シール部
３４  リップ
３５  切り込み溝
Ｂ  躯体
Ｆ  額縁
Ｉ  屋内
Ｏ  屋外
Ｓ  隙間
Ｗ  障子
【図１】
2013096105.tif 000003
【図２】
2013096105.tif 000004
【図３】
2013096105.tif 000005
【図４】
2013096105.tif 000006
【図５】
2013096105.tif 000007
【図６】
2013096105.tif 000008
【図７】
2013096105.tif 000009
【図８】
2013096105.tif 000010